(57)【要約】【課題】車両内に容易に設置可能な装置で、より簡便に運転者の飲酒状態を検出できるようにする。【解決手段】受光部１０２は、エタノールの指紋波長である３．３６７μｍまたは９．５２４μｍ付近の赤外光を選択的に検出して光電変換する信号光受光部１２１と、エタノールの指紋波長近傍のエタノールに吸収されない波長の赤外光を選択的に検出して光電変換する参照光受光部１２２とを備える。また、増幅処理部１０３は、信号光受光部１２１で光電変換された信号光受光信号を増幅する信号光信号増幅部１３１と、参照光受光部１２２で光電変換された参照光受光信号を増幅する参照光信号増幅部１３２と、信号光信号増幅部１３１で増幅された信号及び参照光信号増幅部１３２で増幅された信号を差動増幅する差動増幅部１３３とを備える。【選択図】  図１
2009092450.tif 000002
【特許請求の範囲】
【請求項１】
呼気中のエタノールを検出することで前記呼気を吐出した人間の飲酒状態を検知する飲酒状態検知装置において、
少なくともエタノールが吸収する波長を含む赤外線を出射する光源と、
前記光源の赤外線を出射する出射部に対向して受光部が配置され、エタノールが吸収する波長の赤外線を検出して光電変換する第１受光手段と、
前記光源の赤外線を出射する出射部に対向して受光部が配置され、エタノールが吸収しない波長の赤外線を検出して光電変換する第２受光手段と、
前記第１受光手段で光電変換されて出力された第１信号及び前記第２受光手段で光電変換されて出力された第２信号を差動増幅する増幅手段と、
前記増幅手段から出力された信号の変化を元に前記呼気中のエタノールの存在を判定する信号処理手段と
を少なくとも備えることを特徴とする飲酒状態検知装置。
【請求項２】
呼気中のエタノールを検出することで前記呼気を吐出した人間の飲酒状態を検知する飲酒状態検知装置において、
少なくともエタノールが吸収する波長を含む赤外線を出射する光源と、
前記光源が出射する赤外線の強度を所定の周波数で変調させる強度変調手段と、
エタノールが吸収する波長の赤外線を検出して光電変換する受光手段と、
前記受光手段で光電変換されて出力された信号を増幅し、前記強度変調手段による変調に同期した信号を取り出す増幅手段と、
前記増幅手段から出力された信号の変化を元に前記呼気中のエタノールの存在を判定する信号処理手段と
を少なくとも備えることを特徴とする飲酒状態検知装置。
【請求項３】
呼気中のエタノールを検出することで前記呼気を吐出した人間の飲酒状態を検知する飲酒状態検知装置において、
少なくともエタノールが吸収する波長を含む赤外線を出射する光源と、
前記光源が出射する赤外線の波長をエタノールが吸収する赤外線の波長の範囲で変調させる周波数変調手段と、
エタノールが吸収する波長の赤外線を検出して光電変換する受光手段と、
前記受光手段で光電変換されて出力された信号を増幅し、前記周波数変調手段による変調の周期の２倍の周期及び４倍の周期の少なくとも１つに同期した信号を取り出す増幅手段と、
前記増幅手段から出力された信号の変化を元に前記呼気中のエタノールの存在を判定する信号処理手段と
を少なくとも備えることを特徴とする飲酒状態検知装置。
【請求項４】
請求項２又は３記載の飲酒状態検知装置において、
前記光源は、半導体レーザであることを特徴とする飲酒状態検知装置。
【請求項５】
請求項１〜４のいずれか１項に記載の飲酒状態検知装置において、
前記増幅手段が出力した信号より、呼吸動作に起因する周期に対応する周期信号成分を取り出す呼気周波数取出手段を備える
ことを特徴とする飲酒状態検知装置。
【発明の詳細な説明】
【技術分野】
【０００１】
本発明は、呼気中に含まれているアルコールを検出する飲酒状態検知装置に関する。
【背景技術】
【０００２】
酒気帯び及び飲酒状態の運転は、悲惨な交通死亡事故を引き起こす原因となり、これを防止及び抑止する目的で、例えば半導体式ガスセンサを用いたアルコール検知器が製造・販売され、バス，トラック，及びタクシーなどの営業運転手の業務管理に使用され、ある程度の効果を上げている。また、半導体式ガスセンサよりは高価になるが、電気化学式ガスセンサを利用したアルコール検知器も、同様に使用されている。
【０００３】
また、アメリカ合衆国の一部の州では、飲酒運転違反歴のある運転者に対して、車両運転時に定期的にアルコール検知装置に呼気を吹き込むように義務づけ、違反時にはインターロックが掛かってエンジンが起動しないように車両を改造し、無線通信などで定期的に監視する制度がある。さらに、スウェーデンでは、２０１２年から、全ての新規登録車両に対し、上記同様のアルコール検知器の装着が義務づけられている。
【０００４】
一方、ガスセンサの分野では、赤外線の吸収を利用してガスの分析・測定を行うガスセンサが開発されて利用されている（特許文献１〜３参照）。例えば、ＮＤＩＲ（non-dispersive-infrared-absorption）式二酸化炭素センサや、「レーザメタン」と呼ばれるガス濃度測定装置がある。
【０００５】
【特許文献１】特開２００５−０９１２４０号公報
【特許文献２】特開２０００−２３０９００号公報
【特許文献３】特開平５−０７９９７６号公報
【発明の開示】
【発明が解決しようとする課題】
【０００６】
ところで、アルコール検知器は、主に、バス，トラック，タクシーなどの業務運転手が始業点呼時や、休憩時などに使用している。しかしながら、実際には、この点呼や検査時を避けて飲酒して乗務することは可能である。また、検査自体が煩わしく、時間と労力とを必要とするものであり、これらの効率化が模索されているところである。また、従来のアルコール検知器では、車両内に設置して用いることができなかった。
【０００７】
本発明は、以上のような問題点を解消するためになされたものであり、車両内に容易に設置可能な装置で、より簡便に運転者の飲酒状態を検出できるようにすることを目的とする。
【課題を解決するための手段】
【０００８】
本発明に係る飲酒状態検知装置は、呼気中のエタノールを検出することで呼気を吐出した人間の飲酒状態を検知する飲酒状態検知装置において、少なくともエタノールが吸収する波長を含む赤外線を出射する光源と、光源の赤外線を出射する出射部に対向して受光部が配置され、エタノールが吸収する波長の赤外線を検出して光電変換する第１受光手段と、光源の赤外線を出射する出射部に対向して受光部が配置され、エタノールが吸収しない波長の赤外線を検出して光電変換する第２受光手段と、第１受光手段で光電変換されて出力された第１信号及び第２受光手段で光電変換されて出力された第２信号を差動増幅する増幅手段と、増幅手段から出力された信号の変化を元に呼気中のエタノールの存在を判定する信号処理手段とを少なくとも備えるものである。
【０００９】
また、本発明に係る飲酒状態検知装置は、呼気中のエタノールを検出することで呼気を吐出した人間の飲酒状態を検知する飲酒状態検知装置において、少なくともエタノールが吸収する波長を含む赤外線を出射する光源と、光源が出射する赤外線の強度を所定の周波数で変調させる強度変調手段と、エタノールが吸収する波長の赤外線を検出して光電変換する受光手段と、受光手段で光電変換されて出力された信号を増幅し、強度変調手段による変調に同期した信号を取り出す増幅手段と、増幅手段から出力された信号の変化を元に呼気中のエタノールの存在を判定する信号処理手段とを少なくとも備えるものである。
【００１０】
また、本発明に係る飲酒状態検知装置は、呼気中のエタノールを検出することで呼気を吐出した人間の飲酒状態を検知する飲酒状態検知装置において、少なくともエタノールが吸収する波長を含む赤外線を出射する光源と、光源が出射する赤外線の波長をエタノールが吸収する赤外線の波長の範囲で変調させる周波数変調手段と、エタノールが吸収する波長の赤外線を検出して光電変換する受光手段と、受光手段で光電変換されて出力された信号を増幅し、周波数変調手段による変調の周期の２倍の周期及び４倍の周期の少なくとも１つに同期した信号を取り出す増幅手段と、増幅手段から出力された信号の変化を元に呼気中のエタノールの存在を判定する信号処理手段とを少なくとも備えるものである。例えば、光源としては、半導体レーザを用いることができる。
【００１１】
また、上記飲酒状態検知装置において、増幅手段が出力した信号より、呼吸動作に起因する周期に対応する周期信号成分を取り出す呼気周波数取出手段を備えるようにしてもよい。
【発明の効果】
【００１２】
以上説明したように、本発明によれば、第１受光手段で光電変換されて出力された第１信号及び第２受光手段で光電変換されて出力された第２信号を差動増幅するようにしたので、車両内に容易に設置可能な装置で、より簡便に運転者の飲酒状態を検出できるようになる。また、本発明によれば、光源が出射する赤外線の強度を所定の周波数で変調させ、受光手段で光電変換されて出力された信号を増幅し、強度の変調に同期した信号を取り出すようにしたので、車両内に容易に設置可能な装置で、より簡便に運転者の飲酒状態を検出できるようになる。また、本発明によれば、光源が出射する赤外線の波長をエタノールが吸収する赤外線の波長の範囲で変調させ、受光手段で光電変換されて出力された信号を、変調の周期の２倍の周期及び４倍の周期の少なくとも１つに同期した信号を取り出すようにしたので、車両内に容易に設置可能な装置で、より簡便に運転者の飲酒状態を検出できるようになる。また、本発明によれば、呼吸動作に起因する周期に対応する周期信号成分を取り出すようにしたので、車両内に容易に設置可能な装置で、より簡便に運転者の飲酒状態を検出できるようになる。
【発明を実施するための最良の形態】
【００１３】
以下、本発明の実施の形態について図を参照して説明する。
【００１４】
［実施の形態１］
始めに、本発明の実施の形態１について説明する。図１は、本発明の実施の形態１における飲酒状態検知装置の構成例を示す構成図である。本装置は、まず、赤外線を放射する例えば赤外線ランプなどから構成された光源１０１と、光源１０１に対向配置されて光源１０１より放射された赤外線を受光する受光部１０２とを備えている。光源１０１は、エタノールに特有の吸収波長（指紋波長）である３．３６７μｍまたは９．５２４μｍ付近の波長を含む広い周波数成分の赤外光を放射する。
【００１５】
また、受光部１０２は、エタノールの指紋波長である３．３６７μｍまたは９．５２４μｍ付近の赤外光を選択的に検出して光電変換する信号光受光部（第１受光手段）１２１と、エタノールの指紋波長近傍のエタノールに吸収されない波長の赤外光を選択的に検出して光電変換する参照光受光部１２２とを備えている。例えば、信号光受光部１２１は、例えば、エタノールの指紋波長付近の赤外光を透過する信号光透過フィルターを備え、参照光受光部１２２は、例えば、エタノールの指紋波長近傍のエタノールに吸収されない波長の赤外光を選択的に透過する参照光透過フィルターを備えている。また、例えば、受光部１０２は、信号光受光部１２１となる受光素子及び参照光受光部１２２となる受光素子の、２つの受光素子から構成されている。
【００１６】
また、本実施の形態における飲酒状態検知装置は、受光部１０２で光電変換されて出力された信号を増幅処理する増幅処理部（増幅手段）１０３を備えている。増幅処理部１０３は、信号光受光部１２１で光電変換された信号光受光信号（第１信号）を増幅する信号光信号増幅部１３１と、参照光受光部１２２で光電変換された参照光受光信号（第２信号）を増幅する参照光信号増幅部１３２と、信号光信号増幅部１３１で増幅された信号及び参照光信号増幅部１３２で増幅された信号を差動増幅する差動増幅部１３３とを備えている。このように、波長が異なる２系統の赤外線を利用してこれらの差信号を取得することで、光源１０１の出力変動や雰囲気に存在する埃などによる光強度の変動などによるエタノールの有無にかかわらない赤外光の変動の影響を除去・低減させることができる。
【００１７】
また、本実施の形態の飲酒状態検知装置では、増幅処理部１０３（差動増幅部１３３）の出力信号より、呼吸動作に起因する周期に対応する周期信号成分を取り出す呼気周波数取出部１０４と、呼気周波数取出部１０４で取り出した信号に対して例えばＡ／Ｄ変換するなどの処理をし、信号の変化の状態よりエタノールの検出を判定する信号処理部１０５とを備えている。
【００１８】
これらを備えた本実施の形態における飲酒状態検知装置は、例えば、車両内の運転席の上部，運転者が運転席に着座した際の額部直上に配置されていればよい。運転者により吐出されて上昇した呼気１１１が、光源１０１と受光部１０２との間を通過することで、呼気１１１に含まれているアルコールが、飲酒状態検知装置により検出される。呼気１１１にアルコールが含まれていれば、受光部１０２の信号光受光部１２１に受光される信号光が減衰することになり、この状態が、増幅処理部１０３で増幅され、呼気周波数取出部１０４により選択され（取り出され）、信号処理部１０５により酒気帯び状態や飲酒状態であるものとして検出される。
【００１９】
信号処理部１０５では、例えば、検出された信号の変化が予め設定されている基準値を超えた場合、エタノールが検出されたものと判断し、対応する信号を出力する。このようにエタノールが検出されたことが判明すれば、測定の対象となった呼気を吐出した運転手が、酒気帯び状態もしくは飲酒状態と判断することができる。このように、信号処理部１０５では、増幅処理部１０３から出力された信号の変化を元に呼気中のエタノールの存在を判定する。
【００２０】
次に、本実施の形態における飲酒状態検知装置について、図２を用いてより詳細に説明する。まず、図２に例示すように、信号光信号増幅部１３１及び参照光信号増幅部１３２は、対数増幅器であればよい。
【００２１】
まず、光源１０１より放射された赤外線の中の、例えば、波長３．３６７μｍの成分が信号光として受光部１０２の信号光受光部１２１に受光され、アルコールに吸収されない成分の赤外光が受光部１０２の参照光受光部１２２に受光され、各々、信号光信号増幅部１３１及び参照光信号増幅部１３２で増幅される。これらの増幅された信号は、差動増幅部１３３に入力され、２つの信号の差に応じた信号が出力される。
【００２２】
この中で、呼気１１１にアルコールが含まれていると、光源１０１より放射された赤外線の中の、例えば、波長３．３６７μｍの成分が含まれているアルコールに吸収されて減衰する。従って、信号光受光部１２１で受光される光量が減少する。これに対し、呼気１１１にアルコールが含まれていても、アルコールに吸収されない成分の赤外光は減衰せず、参照光受光部１２２で受光される光量が減少することはない。
【００２３】
これらの結果、呼気１１１にアルコールが含まれている場合、信号光信号増幅部１３１からの出力と参照光信号増幅部１３２からの出力とが異なることになり、差動増幅部１３３から２つの入力信号の差に対応する信号が出力される。このように、差動増幅部１３３から出力された信号の中の、呼吸動作に起因する周期に対応する周期信号成分（例えば０．２〜０．３Ｈｚ）が、呼気周波数取出部１０４により選択的に取り出される。
【００２４】
このようにして呼気周波数取出部１０４により取り出された信号は、信号処理部１０５において、例えば、Ａ／Ｄ変換され、変換されたデジタル信号がプロセッサにより処理され、信号の変化が予め設定されている基準値を超えた場合、エタノールが検出されたものと判断される。この判断結果は、例えば、信号処理部１０５に接続されている赤色ランプなどの表示手段により表示される。また、信号処理部１０５に接続されている無線通信手段により、所定の送信先に送信される。
【００２５】
上述したように、本実施の形態によれば、エタノールの指紋波長である３．３６７μｍまたは９．５２４μｍ付近の赤外光を信号光として用いるようにしたので、これらの波長は吸収しないエタノール以外の有機溶剤などの蒸気や水蒸気は、検出されない。また、本実施の形態では、信号光と参照光との差に応じた信号を処理する（用いる）ようにしたので、光源１０１の変動や呼気１１１を測定する環境に存在する埃による影響を除去・低減した状態で、エタノールの存在を検出できるようになる。このように、本実施の形態によれば、車両内に容易に設置可能な装置でエタノールを定性的に検出できるので、より簡便に運転者の飲酒状態を検出できるようになる。
【００２６】
また、例えば、自動車の車内には、芳香剤などが存在している場合があり、芳香剤に含まれているエタノールが存在している場合がある。この芳香剤に由来するエタノールも、検出対象として検出されることになる。これに対し、呼気は、呼吸の動作に対応して放出されるため、呼気中のエタノールの濃度の検出結果は、図２（ｂ）に示すように、呼吸の周期に対応して変化する。
【００２７】
従って、呼気周波数取出部１０４により、呼吸動作に起因する周期に対応する周期信号成分を選択的に取り出すことで、芳香剤に由来するエタノールの検出信号と、酒気帯び状態や飲酒状態の人体より放出される呼気中に含まれるエタノールの検出信号とを区別することができる。なお、ここでは、赤外線によりアルコールを検出する場合に、呼気周波数取出部１０４を用いるようにしたが、これに限るものではなく、他の手法によりアルコールを検出する手段に、呼気周波数取出部１０４を組み合わせるようにしても良い。例えば、半導体式ガスセンサにより検出された信号より、呼気周波数取出部１０４を用い、酒気帯び状態や飲酒状態の人体より放出される呼気中に含まれるエタノールの検出信号を選択的に取り出すようにしても良い。このように、呼気周波数取出部を用いることで、車両内に容易に設置可能な装置で、より簡便に運転者の飲酒状態を検出できるようになる。
【００２８】
［実施の形態２］
次に、本発明の実施の形態２について説明する。図３は、本発明の実施の形態２における飲酒状態検知装置の構成例を示す構成図である。本装置は、まず、赤外線を放射する例えば赤外線ランプなどから構成された光源３０１と、光源３０１より放射された赤外線を受光する受光部１０２とを備えている。光源３０１は、エタノールの指紋波長である３．３６７μｍまたは９．５２４μｍ付近の波長と、エタノールの指紋波長近傍のエタノールに吸収されない波長との赤外光を放射する。なお、光源３０１は、例えば、波長が変調可能な半導体レーザから構成することも可能である。また、光源３０１は、エタノールの指紋波長の赤外光を発光する半導体レーザと、エタノールに吸収されない波長の赤外光を発光する半導体レーザとから構成することも可能である。
【００２９】
また、本実施の形態では、光源３０１を駆動する駆動回路３０２と、周波数Ｆ（例えば１〜２Ｈｚ）でオン・オフをする強度変調を行うための変調信号を出力する強度変調部（強度変調手段）３０３とを備えている。駆動回路３０２は、強度変調部３０３から出力された変調信号に同期して、光源３０１の駆動を制御する。この制御により、光源３０１は、周波数Ｆによる周期で赤外光の出射をオン・オフする。
【００３０】
また、本実施の形態における飲酒状態検知装置は、受光部１０２で光電変換されて出力された信号を増幅処理し、かつ上記変調信号で同期検波するロックインアンプ３０４と、ロックインアンプ３０４より出力された信号に対して例えばＡ／Ｄ変換するなどの処理をし、信号の変化の状態よりエタノールの検出を判定する信号処理部３０５とを備えている。ロックインアンプ３０４は、前述した増幅処理部１０３と同様の構成を備え、加えて、強度変調部３０３からの変調信号に同期し、増幅された信号を同期検波する。
【００３１】
ロックインアンプ３０４についてより詳しく説明すると、図３（ｂ）に示すように、信号光受光部１２１で光電変換された信号光受光信号（第１信号）を増幅する信号光信号増幅部３４１と、参照光受光部１２２で光電変換された参照光受光信号（第２信号）を増幅する参照光信号増幅部３４２と、信号光信号増幅部３４１で増幅された信号及び参照光信号増幅部３４２で増幅された信号を差動増幅する差動増幅部３４３とを備えている。
【００３２】
加えて、ロックインアンプ３０４は、入力される周期Ｆの変調信号に同期して差動増幅部３４３から出力された信号を制御して出力する同期制御部３４４と、同期制御部３４４から出力された信号を例えば積分するなどにより平均化する平均化部３４５とを備えている。同期制御部３４４は、例えば、変調信号に同期して信号をオン・オフするスイッチであればよい。
【００３３】
ロックインアンプ３０４では、変調信号に同期した信号が取り出されて出力されるので、変調信号に同期してオン・オフされる光源３０１からの出射光に起因して受光部１０２に受光される赤外光の強度変化が取捨選択されることになる。なお、これらのように、所定の周波数で光源から出射される光の強度を変調し、これに同期して、受光部で受光されて光電変換された信号を同期検波する構成は、前述した実施の形態１の飲酒状態検知装置に組み合わせるようにしても良い。
【００３４】
なお、受光部１０２は、前述同様に、エタノールの指紋波長である３．３６７μｍまたは９．５２４μｍ付近の赤外光を選択的に透過する信号光透過フィルターを備えた信号光受光部１２１と、エタノールの指紋波長近傍のエタノールに吸収されない波長の赤外光を選択的に透過する参照光透過フィルターを備えた参照光受光部１２２とを備えている。
【００３５】
本実施の形態では、光源３０１より出射され、出射方向に存在する対象物で反射した赤外光が、受光部１０２で受光される。例えば、本装置は、車両内の運転席の上部，運転者が運転席に着座した際の額部直上に配置され、光源３０１より出射された赤外光は、運転者の口前部近傍を通過するように構成されていればよい。光源３０１より出射された赤外光は、運転者の口前部近傍を通過し、出射先に存在している運転者脚部の衣服の布地表面，座席シート布地表面，及びハンドルの表面などの赤外線反射物３１２の表面に到達して散乱反射する。このようにして散乱反射した赤外光の一部が、受光部１０２により受光されることになる。
【００３６】
このようにして光源３０１より放射された赤外線の中の、例えば、波長３．３６７μｍの成分が信号光として受光部１０２の信号光受光部１２１に受光され、アルコールに吸収されない成分の赤外光が受光部１０２の参照光受光部１２２に受光され、各々、信号光信号増幅部３４１及び参照光信号増幅部３４２で増幅される。これらの増幅された信号は、差動増幅部３４３に入力され、２つの信号の差に応じた信号が出力される。次いで、同期制御部３４４が、上記信号より変調信号に同期する部分を取り出し、取り出された信号が平均化部３４５により平均化されて出力される。
【００３７】
このようにして光源３０１より出射されて受光部１０２に受光された赤外線の光路の途中に、運転者により吐出された呼気３１１が存在し、呼気３１１にアルコールが含まれていれば、受光部１０２に受光されるエタノールの指紋波長の赤外光は、この波長以外の赤外光に比較して強度が減衰する。従って、信号光受光部１２１で受光される光量が減少する。これに対し、呼気３１１にアルコールが含まれていても、アルコールに吸収されない成分の赤外光は減衰せず、参照光受光部１２２で受光される光量が減少することはない。
【００３８】
これらの結果、呼気３１１にアルコールが含まれている場合、信号光信号増幅部３４１からの出力と参照光信号増幅部３４２からの出力とが異なることになり、差動増幅部３４３から２つの入力信号の差に対応する信号が出力される。この信号は、周波数Ｆの周期信号に同期してオン・オフされている光源３０１からの赤外光に対応するものであり、同期制御部３４４に取り出されて、平均化部３４５に平均化されて出力されため、信号処理部３０５において、予め設定されている基準値を越えた変化の信号として検出され、エタノールが検出されたものと判断される。このように、信号処理部３０５では、ロックインアンプ（増幅手段）３０４から出力された信号の変化を元に呼気中のエタノールの存在を判定する。この結果、信号処理部３０５より、エタノールが検出されたことに対応する信号が出力される。このようにエタノールが検出されたことが判明すれば、測定の対象となった呼気を吐出した運転手が、酒気帯び状態もしくは飲酒状態と判断することができる。
【００３９】
ここで、本実施の形態では、上述したように同期検波しているので、光源３０１より出射された赤外光以外の赤外光の影響が、抑制除去できる。このように、本実施の形態によれば、車両内に容易に設置可能な装置で、より簡便に運転者の飲酒状態を検出できるようになる。また、本実施の形態では、光源３０１より出射する信号光として、エタノールの指紋波長の赤外光を用いるようにしたので、周囲に存在している水蒸気による影響を抑制除去できる。
【００４０】
［実施の形態３]
次に、本発明の実施の形態３について説明する。図４（ａ）は、本発明の実施の形態３における飲酒状態検知装置の構成例を示す構成図である。本装置は、まず、エタノールの指紋波長近傍の赤外線を発光する例えば半導体レーザよりなる光源４０１と、光源４０１より放射された赤外線を受光する受光部４０２とを備えている。光源４０１は、エタノールの吸収波長特性の幅である例えば３．２９０〜３．５６０μｍの範囲で、波長を変調して出射することができる半導体レーザから構成されていればよい。
【００４１】
また、本実施の形態では、光源４０１を駆動する駆動回路４０３と、周波数ｆ（数百Ｈｚ〜数ｋＨｚ）でエタノールの吸収波長特性の幅（３．２９０〜３．５６０μｍ）で発振波長の変調を行うための変調信号，及び周波数２ｆの同期信号を出力する発振波長変調部４０４とを備えている。駆動回路４０３は、発振波長変調部４０４から出力された周波数ｆの変調信号に同期して、光源４０１の駆動を制御する。この駆動により、光源４０１は、周波数ｆによる周期の半分の周期で３．２９０μｍから３．５６０μｍまで発振波長を掃引して出力し、引き続いて、周波数ｆによる周期の半分の周期で３．５６０μｍから３．２９０μｍまで発振波長を掃引して出力する。
【００４２】
また、本実施の形態における飲酒状態検知装置は、受光部４０２で光電変換されて出力された信号を増幅処理するロックインアンプ４０５を備えている。ロックインアンプ４０５は、発振波長変調部４０４からの周波数２ｆの同期信号に同期し、受光部４０２からの信号を同期検波する。例えば、ロックインアンプ４０５は、受光部４０２からの信号を対数増幅した後、増幅された信号を周期２ｆの同期信号に同期してオン・オフし、この結果得られた信号を例えば積分するなどにより平均化して出力する。
【００４３】
本実施の形態では、前述した実施の形態２と同様に、光源４０１より出射され、出射方向に存在する対象物で反射した赤外光を受光部４０２で受光することで、運転者より吐出された呼気４１１中のアルコールを検出するようにしたものである。加えて、本実施の形態では、光源４０１より出射される赤外光の周波数が、エタノールの吸収波長特性の幅で、変調（周波数ｆ）されているようにしたところに特徴がある。
【００４４】
光源４０１より出射された赤外光は、運転者の口前部近傍を通過し、出射先に存在している運転者脚部の衣服の布地表面，座席シート布地表面，及びハンドルの表面などの赤外線反射物４１２の表面に到達して散乱反射する。このようにして散乱反射した赤外光の一部が、受光部４０２により受光されることになる。
【００４５】
このようにして光源４０１より放射された３．２９０〜３．５６０μｍの範囲で波長が変調されている赤外光が、受光部４０２に受光されて光電変換される。受光部４０２では、入射した赤外線の光強度に対応して光電変換した信号を出力するため、出力される信号の強度は、受光した赤外線の波長に依存しない。従って、光源４０１より出射されて受光部４０２に受光された赤外線の光路の途中に、エタノールが存在していない場合、受光部４０２からは一定の状態で信号が出力されることになる。このため、光源４０１から受光部４０２にかけての光路中にエタノールが存在しない場合、受光部４０２から出力される信号においては、何ら変化（ピーク）は発現しない。このため、ロックインアンプ４０５において、周波数２ｆの同期信号でオンオフされて平均化された出力信号においても、何ら変化（ピーク）は発現しない。
【００４６】
以上のことに対し、光源４０１から受光部４０２にかけての光路中に、運転者により吐出された呼気４１１が存在し、呼気４１１にアルコールが含まれていれば、受光部４０２に受光される赤外光は、変調されている波長の変化に対応した状態で強度が変化する。
【００４７】
ここで、エタノールの赤外線波長変化による赤外線吸収量（吸光度）の変化は、エタノール蒸気のフーリエ変換赤外分光分析の結果より、図４（ｂ）に示すように、全体として１つの大きなピークを備えた周波数特性を備え、この大きな１つのピークのピーク波長はおおよそ３．４２５μｍであることが判明している。従って、受光部４０２に受光される赤外光の強度（絶対値）は、図４（ｂ）に示すピークの一部の変化を、変調周波数ｆの２倍の周波数２ｆ（変調信号の半分の周期）に同期して起こすことになる。
【００４８】
従って、呼気４１１にアルコールが含まれている場合、ロックインアンプ４０５には、上述したピークに対応する受光部４０２からの変調周波数ｆの２倍の周波数２ｆに同期して変化する信号が入力されることになる。ロックインアンプ４０５では、入力した信号より周波数２ｆの同期信号に同期する信号が取り出されるので、呼気４１１にアルコールが含まれている場合には、ロックインアンプ４０５から出力される信号には、上述したピークに対応する変化が出現することになる。
【００４９】
このようなロックインアンプ４０５から出力される信号の変化が、信号処理部４０５において、予め設定されている基準値を越えた変化の信号として検出され、エタノールが検出されたものと判断される。このように、信号処理部４０５では、ロックインアンプ（増幅手段）４０４から出力された信号の変化を元に呼気中のエタノールの存在を判定する。この結果、信号処理部４０５より、エタノールが検出されたことに対応する信号が出力される。このようにエタノールが検出されたことが判明すれば、測定の対象となった呼気を吐出した運転手が、酒気帯び状態もしくは飲酒状態と判断することができる。
【００５０】
本実施の形態では、エタノールが吸収する範囲の波長幅で光源４０１から出射される赤外線の波長を所定の周波数（変調周波数）で変調し、受光部４０２で受光されて光電変換された信号より、ロックインアンプ４０５で変調周波数の２倍の周波数に同期する成分を取り出すようにしたので、受光部４０２に受光される赤外線の光源４０１の出力変動や外乱などによる変化は、ロックインアンプ４０５より出力されないものとなる。この結果、本実施の形態によれば、エタノールの存在により吸収された赤外線の変化が選択的に検出されるようになり、エタノールを定性的に検出できるようになる。
【００５１】
このように、本実施の形態によれば、エタノールの存在を定性的に検出することができるようになり、車両内に容易に設置可能な装置で、より簡便に運転者の飲酒状態を検出できるようになる。また、本実施の形態においても、光源４０１より出射する信号光として、エタノールの指紋波長の赤外光を用いるようにしたので、周囲に存在している水蒸気による影響を抑制除去できる。
【００５２】
［実施の形態４］
次に、本発明の実施の形態４について説明する。図５（ａ）は、本発明の実施の形態４における飲酒状態検知装置の構成例を示す構成図である。本装置は、まず、エタノールの指紋波長近傍の赤外線を発光する例えば半導体レーザよりなる光源５０１と、光源５０１より放射された赤外線を受光する受光部５０２とを備えている。光源５０１は、エタノールの吸収波長特性の幅である例えば３．２９０〜３．５６０μｍの範囲で、波長を変調して出射することができる半導体レーザから構成されていればよい。
【００５３】
また、本実施の形態では、光源５０１を駆動する駆動回路５０３と、周波数ｆ（数百Ｈｚ〜数ｋＨｚ）でエタノールの吸収波長特性の幅（３．２９０〜３．５６０μｍ）で発振波長の変調を行うための変調信号，及び周波数２ｆ，４ｆの２つの同期信号を出力する発振波長変調部５０４とを備えている。駆動回路５０３は、発振波長変調部５０４から出力された周波数ｆの変調信号に同期して、光源５０１の駆動を制御する。この駆動により、光源５０１は、周波数ｆによる周期の半分の周期で３．２９０μｍから３．５６０μｍまで発振波長を掃引して出力し、引き続いて、周波数ｆによる周期の半分の周期で３．５６０μｍから３．２９０μｍまで発振波長を掃引して出力する。
【００５４】
また、本実施の形態における飲酒状態検知装置は、受光部５０２で光電変換されて出力された信号を増幅処理するロックインアンプ５０５を備えている。ロックインアンプ５０５は、発振波長変調部５０４からの周波数２ｆ，４ｆの２つの同期信号に同期し、受光部５０２からの信号を同期検波する。例えば、ロックインアンプ５０５は、樹工具５０２からの信号を対数増幅した後、増幅された信号を周期２ｆ，４ｆの同期信号に同期してオン・オフし、この結果得られた信号を例えば積分するなどにより平均化して出力する。
【００５５】
本実施の形態では、前述した実施の形態２，３と同様に、光源５０１より出射され、出射方向に存在する対象物で反射した赤外光を受光部５０２で受光することで、運転者により吐出された呼気５１１中のアルコールを検出するようにしたものである。加えて、本実施の形態でも、前述した実施の形態と同様に、光源５０１より出射される赤外光の周波数が、エタノールの吸収波長特性の幅で、変調（周波数ｆ）されているようにしたところに特徴がある。
【００５６】
前述した実施の形態同様に、光源５０１より出射されて受光部５０２に受光された赤外線の光路の途中に、運転者により吐出された呼気５１１が存在し、呼気５１１にアルコールが含まれていれば、受光部５０２に受光されるエタノールの指紋波長の赤外光は、この波長以外の赤外光に比較して強度が変化（減衰）する。このエタノールの赤外線波長変化による赤外線吸収量の変化は、図５（ｂ）に示すように、全体として１つの大きなピークに加え、２つの小さなピークを備えた周波数特性を備え、これら２つの小さなピークの波長は、３．３４７μｍ及び３．４４７μｍとなる。このため、受光部５０２に受光される赤外光の強度は、図５（ｂ）に示すピークの変化を、変調周波数ｆの２倍の周波数２ｆと４倍の周波数４ｆに同期して起こすことになる。言い換えると、受光部５０２に受光される赤外光の強度は、変調信号の半分の周期及び１／４の周期に同期して起こすことになる。
【００５７】
ロックインアンプ５０５では、入力した信号より周波数２ｆ，４ｆの同期信号に同期する信号が取り出されるので、呼気５１１にアルコールが含まれている場合には、ロックインアンプ５０５から出力される信号には、上述したピークに対応する変化が出現することになる。このようなロックインアンプ５０５から出力される信号の変化が、信号処理部５０５において、予め設定されている基準値を越えた変化の信号として検出され、エタノールが検出されたものと判断される。このように、信号処理部５０５では、ロックインアンプ（増幅手段）５０４から出力された信号の変化を元に呼気中のエタノールの存在を判定する。この結果、信号処理部５０５より、エタノールが検出されたことに対応する信号が出力される。このようにエタノールが検出されたことが判明すれば、測定の対象となった呼気を吐出した運転手が、酒気帯び状態もしくは飲酒状態と判断することができる。
【００５８】
本実施の形態でも、前述した実施の形態と同様に、エタノールが吸収する範囲の波長幅で光源５０１から出射される赤外線の波長を所定の周波数（変調周波数）で変調し、受光部５０２で受光されて光電変換された信号より、ロックインアンプ５０５で変調周波数の２倍，４倍の周波数に同期する成分を取り出すようにしたので、受光部５０２に受光される赤外線の光源５０１の出力変動や外乱などによる変化は、ロックインアンプ５０５より出力されないものとなる。この結果、本実施の形態においても、エタノールの存在により吸収された赤外線の変化が選択的に検出されるようになり、エタノールを定性的に検出できるようになる。
【００５９】
このように、本実施の形態によれば、エタノールの存在を定性的に検出することができるようになり、車両内に容易に設置可能な装置で、より簡便に運転者の飲酒状態を検出できるようになる。また、本実施の形態においても、光源５０１より出射する信号光として、エタノールの指紋波長の赤外光を用いるようにしたので、周囲に存在している水蒸気による影響を抑制除去できる。
【００６０】
次に、上述した本発明における飲酒状態検知装置の設置例について説明する。例えば、図６の説明図に示すように、飲酒状態検知装置６０１は、トラック６０２の運転席６０３の上部に設置すればよい。また、図７の説明図に示すように、飲酒状態検知装置６０１は、乗用車７０２の運転席７０３の上部に設置してもよい。このように設置された飲酒状態検知装置６０１において、アルコールが検出され酒気帯び状態などと検出されると、この状態をインターロック６０４に通知するようにしても良い。このように通知されたインターロック６０４では、トラック６０２のエンジンが起動しないように制御する。
【００６１】
また、アルコールが検出されると、飲酒状態検知装置６０１は、通信装置６０５に通知するようにしても良い。この通知を受けた通信装置６０５は、予め設定されている送信先である管理センタへ酒気帯び状態もしくは飲酒状態が検出されたことを通知する。このような通知を受けた管理センタでは、担当者が、例えば携帯式のアルコール検査装置などの別の装置を用いてさらに詳細な検査を実施することを該当する運転手に指示をし、また、業務の停止を指示することができる。
【００６２】
また、図８の説明図に示すように、運送業者やタクシー業者の営業所における始業点呼などを行う部屋８０１の天井８０２に、前述した本発明における飲酒状態検知装置８０３が設置されているようにしても良い。また、図９の説明図に示すように、運送業者やタクシー業者の営業所における始業点呼などを行う部屋の出入り口９０１の上部に、前述した本発明における飲酒状態検知装置９０２が設置されているようにしても良い。これらのようにすることで、従業員の酒気帯びや飲酒状態の第１次検査などに適用できる。
【産業上の利用可能性】
【００６３】
本発明の飲酒状態検知装置は、バス，トラック，タクシーなどの業務運転手の酒気帯び管理手段として有用である。また、本発明の飲酒状態検知装置は、乗用車の運転席に設置することで、一般の運転者の飲酒運転などを防止，抑止することに適用することも可能である。
【図面の簡単な説明】
【００６４】
【図１】本発明の実施の形態１における飲酒状態検知装置の構成例を示す構成図である。
【図２】本発明の実施の形態１における飲酒状態検知装置の構成例を示す構成図である。
【図３】本発明の実施の形態２における飲酒状態検知装置の構成例を示す構成図である。
【図４】本発明の実施の形態３における飲酒状態検知装置の構成例を示す構成図（ａ）及びエタノールによる吸収特性を示す特性図（ｂ）である。
【図５】本発明の実施の形態４における飲酒状態検知装置の構成例を示す構成図（ａ）及びエタノールによる吸収特性を示す特性図（ｂ）である。
【図６】本発明における飲酒状態検知装置の設置例について説明する説明図である。
【図７】本発明における飲酒状態検知装置の設置例について説明する説明図である。
【図８】本発明における飲酒状態検知装置の設置例について説明する説明図である。
【図９】本発明における飲酒状態検知装置の設置例について説明する説明図である。
【符号の説明】
【００６５】
１０１…光源、１０２…受光部、１０３…増幅処理部、１０４…呼気周波数取出部、１０５…信号処理部、１１１…呼気、１２１…信号光受光部、１２２…参照光受光部、１３１…信号光信号増幅部、１３２…参照光信号増幅部、１３３…差動増幅部。
【図１】
2009092450.tif 000003
【図２】
2009092450.tif 000004
【図３】
2009092450.tif 000005
【図４】
2009092450.tif 000006
【図５】
2009092450.tif 000007
【図６】
2009092450.tif 000008
【図７】
2009092450.tif 000009
【図８】
2009092450.tif 000010
【図９】
2009092450.tif 000011